【手続補正書】
【提出日】平成28年7月19日(2016.7.19)
【手続補正１】
【補正対象書類名】明細書
【補正対象項目名】００４３
【補正方法】変更
【補正の内容】
【００４３】
本発明のエマルジョンは、基材表面に撥油性及び撥水性、並びに耐汚染性を付与するのに有用である。撥性は、多数回にわたって洗濯した後にも持続可能である。本発明のポリマー組成物は、顕著なローラー又は布帛のビルドアップを精製しないという利点も有している。パッドローラーのビルドアップは、パッドローラーを繊維基材の仕上げ加工に使用する織物工場においては一般的である。パッドローラーのビルドアップは、仕上げ加工中に織物ローラー上にポリマーフィルムがビルドアップされてしまうために、望ましくない。ローラー上でビルドアップされたポリマーフィルムは、最終的には仕上げられた織物上に付着し、外観上、目に見える欠陥（すなわち、しみ、脱色、べたついた外観など）が引き起こされる。また、ポリマーコーティングされたローラーを洗浄するのは困難であるため、織物工場での作業中に、重大な欠陥が生じる。本発明のエマルジョンは安定性があるために、幅広い塗布条件（すなわち、熱い又は寒い気候）の下で使用され得るという利点がある。本発明の処理された基材は、様々な適用及び製品（衣類、防護服、カーペット、室内装飾材料、家具、及び他の用途）において有用である。上述の優れた表面特性によって、表面清浄度が維持されるため、より長期にわたって使用することが可能となる。
以下に、本発明の好ましい態様を示す。
［１］  （ｉ）以下のモノマーの反応生成物を含む部分的にフッ素化されたコポリマー：
（ａ）１つまたは複数の式（Ｉ）のモノマー：
Rf-L-Q-C(O)-CR1=CH2  （Ｉ）；
（ｂ）１つまたは複数の式（ＩＩ）のモノマー：
RH-Q-C(O)-CR2=CH2  （ＩＩ）；
（ｃ）１つまたは複数の式（ＩＩＩ）のモノマー：
R-(OCH2CH2)n-(OCH2CH(CH3))pQ-C(O)-CR3=CH2  （ＩＩＩ）；
（ｄ）１つまたは複数の式（ＩＶ）のモノマー：
HO-CH2-NH-C(O)-CR4=CH2        （ＩＶ）；
及び
（ｉｉ）１つまたは複数の共溶媒；
（ｉｉｉ）１つまたは複数の界面活性剤；及び、任意選択的に
（ｉｖ）１つまたは複数の消泡剤；
を含み、
式中
Ｒfは、任意選択的に１〜４個の中断基−Ｏ−、−ＣＨ2−、及び／又は−ＣＨＦ−基で中断されていてもよい、炭素数２〜１０の直鎖又は分枝鎖フルオロアルキルであり；
ＲHは、炭素数７〜２２の直鎖、分枝鎖、又は環状アルキル鎖であり；
それぞれのＱは、独立して−Ｏ−又は−Ｓ−であり；
Ｌは、−Ｒ5−、−ＳＯ2−Ｎ（Ｒ6）−Ｒ7−、−ＣＯ−Ｎ（Ｒ8）−Ｒ7−、−ＣＨ2ＣＨ（ＯＲ9）ＣＨ2−、−Ｒ7−ＳＯ2−Ｎ（Ｒ8）−、又は−Ｒ7−Ｏ−Ｃ（Ｏ）−Ｎ（Ｒ8）−Ｒ7−であり；
Ｒ1、Ｒ2、Ｒ3、及びＲ4は、各々独立して、Ｈ又は−ＣＨ3であり；
Ｒは、−Ｈ、又は炭素数１〜２０の直鎖、分枝鎖、又は環状アルキル鎖であり；
Ｒ5及びＲ7は、各々独立して、炭素数２〜１０の直鎖又は分枝鎖の二価アルキル鎖であり；
Ｒ6、Ｒ8及びＲ9は、各々独立して、−Ｈ、−ＣＨ3、Ｃ2〜Ｃ10アルキレン、又はＣ1〜Ｃ4アシルであり；
ｎは０〜１０であり、ｐは０〜１０であり（但し、ｐ＋ｎは０を超える）；
前記モノマー（ａ）、（ｂ）、（ｃ）及び（ｄ）の濃度は、コポリマーの１００重量％に等しい、
水性エマルジョン組成物。
［２］  前記部分的にフッ素化されたコポリマーは、（ｅ）塩化ビニリデン、塩化ビニルのうちの１つまたは複数のモノマー又はこれらの混合物をさらに含み、前記モノマー（ａ）、（ｂ）、（ｃ）、（ｄ）、及び（ｅ）の濃度は、コポリマーの１００重量％に等しい、［１］に記載の水性エマルジョン。
［３］  前記共溶媒は、
（ａ）大豆脂肪酸、エタン酸、プロパン酸、ブタン酸、ペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ミリストレイン酸、パルミトレイン酸、パルミチン酸、サピエン酸、オレイン酸、エライジン酸、バクセン酸、リノール酸、リノエライジン酸、α−リノレン酸、アラキドン酸、エイコサペンタエン酸、エルカ酸、ドコサヘキサエン酸、ヘキサデカトリエン酸、α−リノレン酸、ステアリドン酸、エイコサトリエン酸、エイコサテトラエン酸、エイコサペンタエン酸、ヘンエイコサペンタエン酸、ドコサペンタエン酸、テトラコサペンタエン酸、テトラコサヘキサエン酸、リノール酸、γ−リノレン酸、エイコサジエン酸、ジホモ−γ−リノレン酸、アラキドン酸、ドコサジエン酸、アドレン酸、ドコサペンタエン酸、オスボンド酸、テトラコサテトラエン酸、テトラコサペンタエン酸、オレイン酸、エイコセン酸、ミード酸、エルカ酸、ネルボン酸、ルーメン酸、α−カレンド酸、β−カレンド酸、ジャカル酸、ステアリン酸、α−エレオステアリン酸、β−エレオステアリン酸、カタルプ酸、プニカ酸、ルメレン酸、α−パリナリン酸、β−パリナリン酸、ボセオペンタエン酸、ピノレン酸、ポドカルピン酸、又はこれらの混合物から選択される脂肪酸；
（ｂ）大豆脂肪酸のエステル、エタン酸のエステル、プロパン酸のエステル、ブタン酸のエステル、ペンタン酸のエステル、ヘキサン酸のエステル、ヘプタン酸のエステル、オクタン酸のエステル、ノナン酸のエステル、デカン酸のエステル、ウンデカン酸のエステル、ドデカン酸のエステル、トリデカン酸のエステル、テトラデカン酸のエステル、ペンタデカン酸のエステル、ヘキサデカン酸のエステル、ミリストレイン酸のエステル、パルミトレイン酸のエステル、パルミチン酸、サピエン酸のエステル、オレイン酸のエステル、エライジン酸のエステル、バクセン酸のエステル、リノール酸のエステル、リノエライジン酸のエステル、α−リノレン酸のエステル、アラキドン酸のエステル、エイコサペンタエン酸のエステル、エルカ酸のエステル、ドコサヘキサエン酸のエステル、ヘキサデカトリエン酸のエステル、α−リノレン酸のエステル、ステアリドン酸のエステル、エイコサトリエン酸のエステル、エイコサテトラエン酸のエステル、エイコサペンタエン酸のエステル、ヘンエイコサペンタエン酸のエステル、ドコサペンタエン酸のエステル、テトラコサペンタエン酸のエステル、テトラコサヘキサエン酸のエステル、リノール酸のエステル、γ−リノレン酸のエステル、エイコサジエン酸のエステル、ジホモ−γ−リノレン酸のエステル、アラキドン酸のエステル、ドコサジエン酸のエステル、アドレン酸のエステル、ドコサペンタエン酸のエステル、オスボンド酸のエステル、テトラコサテトラエン酸のエステル、テトラコサペンタエン酸のエステル、オレイン酸のエステル、エイコセン酸のエステル、ミード酸のエステル、エルカ酸のエステル、ネルボン酸のエステル、ルーメン酸のエステル、α−カレンド酸のエステル、β−カレンド酸のエステル、ジャカル酸のエステル、ステアリン酸のエステル、ステアリン酸のエステル、α−エレオステアリン酸のエステル、β−エレオステアリン酸のエステル、カタルプ酸のエステル、プニカ酸のエステル、ルメレン酸のエステル、α−パリナリン酸のエステル、β−パリナリン酸のエステル、ボセオペンタエン酸のエステル、ピノレン酸のエステル、ポドカルピン酸のエステル、又はこれらの混合物から選択される脂肪酸のエステル；
（ｃ）大豆脂肪酸、エタン酸、プロパン酸、ブタン酸、ペンタン酸、ヘキサン酸、ヘプタン酸、オクタン酸、ノナン酸、デカン酸、ウンデカン酸、ドデカン酸、トリデカン酸、テトラデカン酸、ペンタデカン酸、ヘキサデカン酸、ミリストレイン酸、パルミトレイン酸、パルミチン酸、サピエン酸、オレイン酸、エライジン酸、バクセン酸、リノール酸、リノエライジン酸、α−リノレン酸、アラキドン酸、エイコサペンタエン酸、エルカ酸、ドコサヘキサエン酸、ヘキサデカトリエン酸、α−リノレン酸、ステアリドン酸、エイコサトリエン酸、エイコサテトラエン酸、エイコサペンタエン酸、ヘンエイコサペンタエン酸、ドコサペンタエン酸、テトラコサペンタエン酸、テトラコサヘキサエン酸、リノール酸、γ−リノレン酸、エイコサジエン酸、ジホモ−γ−リノレン酸、アラキドン酸、ドコサジエン酸、アドレン酸、ドコサペンタエン酸、オスボンド酸、テトラコサテトラエン酸、テトラコサペンタエン酸、オレイン酸、エイコセン酸、ミード酸、エルカ酸、ネルボン酸、ルーメン酸、α−カレンド酸、β−カレンド酸、ジャカル酸、ステアリン酸、α−エレオステアリン酸、β−エレオステアリン酸、カタルプ酸、プニカ酸、ルメレン酸、α−パリナリン酸、β−パリナリン酸、ボセオペンタエン酸、ピノレン酸、ポドカルピン酸、のモノ−、ジ−、又はトリ−グリセリド、又はこれらの混合物から選択されるグリセリド；
（ｄ）直鎖ジオール、分枝鎖ジオール、エーテルグリコール、又はこれらの混合物から選択されるグリコール；
（ｅ）グリセロール；
のうちの１つまたは複数、又はこれらの混合物を含む、［１］又は２に記載の水性エマルジョン。
［４］  前記グリコールは、（ｄ）１，２−プロパンジオール、１，２−ブタンジオール、２，３−ブタンジオール、１，３−ブタンジオール、１，２−ペンタンジオール、エトヘキサジオール、ｐ−メンタン−３，８−ジオール、２−メチル−２，４−ペンタンジオール、１，３−プロパンジオール、１，４−ブタンジオール、１，５−ペンタンジオール、１，８−オクタンジオール、プロピレングリコール、ジプロピレングリコール、エチレングリコール、ジエチレングリコール、又はこれらの混合物を含む、［３］に記載の水性エマルジョン。
［５］  繊維基材の処理方法であって、前記繊維基材の表面に水性エマルジョン組成物を接触させることを含み、前記水性エマルジョン組成物は、
（ｉ）以下のモノマーの反応生成物を含む部分的にフッ素化されたコポリマー：
（ａ）１つまたは複数の式（Ｉ）のモノマー：
Rf-L-Q-C(O)-CR1=CH2  （Ｉ）；
（ｂ）１つまたは複数の式（ＩＩ）のモノマー：
RH-Q-C(O)-CR2=CH2  （ＩＩ）；
（ｃ）１つまたは複数の式（ＩＩＩ）のモノマー：
R-(OCH2CH2)n-(OCH2CH(CH3))pQ-C(O)-CR3=CH2    （ＩＩＩ）；
（ｄ）１つまたは複数の式（ＩＶ）のモノマー：
HO-CH2-NH-C(O)-CR4=CH2        （ＩＶ）；
及び
（ｉｉ）１つまたは複数の共溶媒；
（ｉｉｉ）１つまたは複数の界面活性剤；及び、任意選択に
（ｉｖ）１つまたは複数の消泡剤；
を含む、
式中
Ｒfは、任意選択的に１〜４個の中断基−Ｏ−、−ＣＨ2−、及び／又は−ＣＨＦ−基で中断されていてもよい、炭素数２〜１０の直鎖又は分枝鎖フルオロアルキルであり；
ＲＨは、炭素数７〜２２の直鎖、分枝鎖、又は環状アルキル鎖であり；
それぞれのＱは、独立して−Ｏ−又は−Ｓ−であり；
Ｌは、−Ｒ5−、−ＳＯ2−Ｎ（Ｒ6）−Ｒ7−、−ＣＯ−Ｎ（Ｒ8）−Ｒ7−、−ＣＨ2ＣＨ（ＯＲ9）ＣＨ2−、−Ｒ5−ＳＯ2−Ｎ（Ｒ8）−、又は−Ｒ5−Ｏ−Ｃ（Ｏ）−Ｎ（Ｒ8）−Ｒ7−Ｏ−であり；
Ｒ1、Ｒ2、Ｒ3、及びＲ4は、各々独立してＨ又は−ＣＨ3であり；
Ｒは、−Ｈ、又は炭素数１〜２０の直鎖、分枝鎖、又は環状アルキル鎖であり；
Ｒ5及びＲ7は、各々独立して、炭素数２〜１０の直鎖又は分枝鎖の二価アルキル鎖であり；
Ｒ6、Ｒ8及びＲ9は、各々独立して、−Ｈ、−ＣＨ3、Ｃ2〜Ｃ10アルキレン、又はＣ1〜Ｃ4アシルであり；
ｎは０〜１０であり、ｐは０〜１０であり（但し、ｐ＋ｎは０を超える）；
ここで、モノマー（ａ）、（ｂ）、（ｃ）及び（ｄ）の濃度は、コポリマーの１００重量％に等しい、
繊維基材の処理方法。
［６］  前記部分的にフッ素化されたコポリマーは、（ｅ）塩化ビニリデン、塩化ビニルのうちの１つまたは複数のモノマー、又はこれらの混合物をさらに含み、前記モノマー（ａ）、（ｂ）、（ｃ）、（ｄ）、及び（ｅ）の濃度は、コポリマーの１００重量％に等しい、［５］に記載の方法。
［７］  前記共溶媒は、脂肪酸、脂肪酸のエステル、グリセリド、グリコール、又はこれらの混合物を含む、［５］又は［６］に記載の方法。
［８］  ［５］又は［６］に従って処理された繊維基材を含む基材。
［９］  繊維、糸、布帛、混紡布帛、織物、不織布、紙、皮革、ラグ及びカーペットからなる群から選択される、［８］に記載の基材。
［１０］  綿、セルロース、羊毛、絹、ポリアミド、ポリエステル、ポリオレフィン、ポリアクリロニトリル、ポリプロピレン、レーヨン、ナイロン、アラミド、アセテート、スパンレース不織布、及びスパンボンド−メルトブローン−スパンボンド不織布からなる、［９］に記載の基材。
【手続補正２】
【補正対象書類名】特許請求の範囲
【補正対象項目名】全文
【補正方法】変更
【補正の内容】
【特許請求の範囲】
【請求項１】
（ｉ）以下のモノマーの反応生成物を含む部分的にフッ素化されたコポリマー：
（ａ）１つまたは複数の式（Ｉ）のモノマー：
Rf-L-Q-C(O)-CR1=CH2  （Ｉ）；
（ｂ）１つまたは複数の式（ＩＩ）のモノマー：
RH-Q-C(O)-CR2=CH2  （ＩＩ）；
（ｃ）１つまたは複数の式（ＩＩＩ）のモノマー：
R-(OCH2CH2)n-(OCH2CH(CH3))pQ-C(O)-CR3=CH2  （ＩＩＩ）；
（ｄ）１つまたは複数の式（ＩＶ）のモノマー：
HO-CH2-NH-C(O)-CR4=CH2        （ＩＶ）；
及び
（ｉｉ）１つまたは複数の共溶媒；
（ｉｉｉ）１つまたは複数の界面活性剤；及び、任意選択的に
（ｉｖ）１つまたは複数の消泡剤；
を含み、
式中
Ｒfは、任意選択的に１〜４個の中断基−Ｏ−、−ＣＨ2−、及び／又は−ＣＨＦ−基で中断されていてもよい、炭素数２〜１０の直鎖又は分枝鎖フルオロアルキルであり；
ＲHは、炭素数７〜２２の直鎖、分枝鎖、又は環状アルキル鎖であり；
それぞれのＱは、独立して−Ｏ−又は−Ｓ−であり；
Ｌは、−Ｒ5−、−ＳＯ2−Ｎ（Ｒ6）−Ｒ7−、−ＣＯ−Ｎ（Ｒ8）−Ｒ7−、−ＣＨ2ＣＨ（ＯＲ9）ＣＨ2−、−Ｒ7−ＳＯ2−Ｎ（Ｒ8）−、又は−Ｒ7−Ｏ−Ｃ（Ｏ）−Ｎ（Ｒ8）−Ｒ7−であり；
Ｒ1、Ｒ2、Ｒ3、及びＲ4は、各々独立して、Ｈ又は−ＣＨ3であり；
Ｒは、−Ｈ、又は炭素数１〜２０の直鎖、分枝鎖、又は環状アルキル鎖であり；
Ｒ5及びＲ7は、各々独立して、炭素数２〜１０の直鎖又は分枝鎖の二価アルキル鎖であり；
Ｒ6、Ｒ8及びＲ9は、各々独立して、−Ｈ、−ＣＨ3、Ｃ2〜Ｃ10アルキレン、又はＣ1〜Ｃ4アシルであり；
ｎは０〜１０であり、ｐは０〜１０であり（但し、ｐ＋ｎは０を超える）；
前記モノマー（ａ）、（ｂ）、（ｃ）及び（ｄ）の濃度は、コポリマーの１００重量％に等しい、
水性エマルジョン組成物。
【請求項２】
繊維基材の処理方法であって、前記繊維基材の表面に請求項１に記載の水性エマルジョン組成物を接触させることを含む、繊維基材の処理方法。
【請求項３】
請求項２の方法に従って処理された繊維基材を含む基材。